(57)【要約】【課題】遊技盤の面積を拡張して遊興効果を大幅に盛り上げることのできる遊技機の弾球発射装置を提供する。【解決手段】弾球槌１を往復回動させることにより球を発射レール２を介して上方の遊技盤内に打ち込んで遊技を行う遊技機において、弾球槌１をその先端が支軸１３の下方を回動する下向きとしたうえに、発射レール２の傾き角度αを上向き２０〜５０°として、遊技盤の面積を下方に拡張する。なお、球に衝突する時の弾球槌１先端の打ち込み角度γを、発射レール２に対して下向き１〜１０°とするのが望ましく、さらに、弾球槌１の支軸１３を、発射レール２の球出口２ｂより低い位置に設けるのが望ましい。【選択図】　　図１
2004141330.tif 000002
【特許請求の範囲】
【請求項１】
弾球槌を往復回動させることにより球を発射レールを介して上方の遊技盤内に打ち込んで遊技を行う遊技機において、弾球槌をその先端が支軸の下方を回動する下向きとしたうえに、発射レールの傾き角度を上向き２０〜５０°として、遊技盤の面積を下方に拡張したことを特徴とする遊技機。
【請求項２】
球を弾球する時の弾球槌先端の打ち込み角度を、発射レールに対して下向き１〜１０°とした請求項１に記載の遊技機の弾球発射装置。
【請求項３】
弾球槌の支軸を、発射レールの球出口より低い位置に設けた請求項１又は２に記載の遊技機の弾球発射装置。
【発明の詳細な説明】
【０００１】
【発明の属する技術分野】
本発明は、球を遊技盤内に打ち込んで遊技を行うことのできる遊技機に関するものである。
【０００２】
【従来の技術】
従来のパチンコ機などの遊技機において弾球槌は、例えば特開平１１−４９３８号公報にみられるように、槌先端が支軸の上方を回動する上向きのものであった。このような弾球槌は、図５に示すように遊技機の右下部に備えられており、アーム部１１の先端にＬ字形に設けられた弾球部１２が支軸１３の上方を回動するように上向きとして遊技機に軸着されている。そして、弾球槌１により発射レール２を介して球を打ち出して、ガイドレール９に囲まれた略円形の遊技盤３内に適宜の速度で打ち込むことによって遊技を行うことができる。
【特許文献１】特開平１１−４３９３８号公報（第４頁、図１）
【０００３】
弾球槌１の近傍には玉を１球ずつ発射レール２の弾球位置に送出すための玉送り装置４が配設されている。また、遊技盤３の中央には玉が入賞した時に幾つかの図柄を変動させてその図柄が揃った時に大当たりなどの特別遊技状態とするための役物５が配設されている。前記した発射レール２や球送り装置４は、遊技盤３と弾球槌１の間に配置してあるので、これらが障害となって遊技盤３面積を広く取ることができなかった。したがって、従来の遊技機においては遊技盤３を拡張して役物５をさらに大きくして図柄を種々の組み合わせにより変動させたり、入賞口６や羽根車７などの数や配置に変化を付けたりすることができなかったので、遊興効果を盛り上げる点において限界のあるものであった。
【０００４】
【発明が解決しようとする課題】
本発明は上記した従来の問題点を解決し、遊技盤の面積を拡張して遊興効果を大幅に盛り上げることのできる遊技機の弾球発射装置を提供するためになされたものである。
【０００５】
【課題を解決するための手段】上記の課題を解決するためになされた本発明の遊技機は、弾球槌を往復回動させることにより球を発射レールを介して上方の遊技盤内に打ち込んで遊技を行う遊技機において、弾球槌をその先端が支軸の下方を回動する下向きとしたうえに、発射レールの傾き角度を上向き２０〜５０°として、遊技盤の面積を下方に拡張したことを特徴とするものである。なお、球を弾球する時の弾球槌先端の打ち込み角度を、発射レールに対して下向き１〜１０°とするのが望ましく、さらに、弾球槌の支軸を、発射レールの球出口より低い位置に設けるのが望ましい。
【０００６】
本発明の遊技機は、弾球槌をその先端が支軸の下方を回動する下向きとしたうえに、発射レールの傾き角度を上向き２０〜５０°としたので、弾球槌や発射レールを従来よりも遊技機の下方に移動することができて、したがって、遊技盤の面積を下方に大きく拡張することができる。
【０００７】
【発明の実施の形態】
以下に図面を参照しつつ本発明の好ましい実施形態を説明する。
図１は、本発明の遊技機に取り付けられる第１の実施形態の球発射装置を示す図であって、金属製のベース板２１に弾球槌１、発射レール２、槌ストッパー８、及び球位置決め部材１０とが取り付けられている。球送り装置は図示していないが発射レール２に球を供給するように取り付けられている。
弾球槌１は、後側突片１５を有し、これと反対側に延設したアーム部１１の先端にＬ字形に折り曲げられた弾球部１２が形成されている。弾球部１２にはコイルバネ１４が挿着されており、バネの弾発力を利用して球を弾く。そして、弾球部１２が支軸１３の下方を回動するように弾球槌１は下向きに軸着されている。球の弾球位置には球位置決め部材１０が取り付けられているので、球送り装置から送り込まれた球は発射レール２の所定の位置に静止される。
【０００８】
弾球を終えた弾球槌１はソレノイド１６により反時計回りに回動されて、槌ストッパー８の一端部８１がアーム部１１の中ほどに衝突して弾球槌１は所定の角度回動して停止される。その後、ソレノイド１６の励磁が停止されて図示していないコイルバネなどの付勢により弾発されて弾球槌１が元の弾球位置に戻ることによって球を発射するとともに、弾球槌１の後側突片１５が槌ストッパー８の他端部８２に衝突して弾球槌１の時計回りの回動が停止される。以上のような回動を繰り返すことにより弾球槌１は球を連続して遊技盤内に打ち込むことができる。
【０００９】
弾球槌１を下向きとすることによって、当然ながら発射レール２の弾球位置は弾球槌１の支軸１３よりも下方に位置することになる。しかしながら、発射レール２を従来より下方に単に平行移動させたのみでは遊技盤周囲のガイドレールと発射レール２とのつなぎ部において急激な角度がついて、球の打ち出し方向が急変することとなって球の発射エネルギーが無駄に消費されるのみならず、安定した弾道を得ることが困難となる。したがって、本発明の遊技機においては、ベース板２１の水平線２１ａに対する発射レール底面２ａのなす傾き角度αを２０〜５０°としてガイドレールとの接続を滑らかなものとする。即ち、傾き角度αが２０°未満ではガイドレールとの接続を滑らかにすることができないからであり、５０°超とすると球の上方への打ち出し角度が大きくなって大きなエネルギーをもって球を発射せねばならないからである。なお、傾き角度αを２５〜５０°とするのがさらに望ましく、この角度αを２５〜４５°とするのが特に望ましい。
【００１０】
また、弾球槌１の支軸１３とを通過する直線１３ａが、発射レール底面２ａと交差してなす角度βが９０±１０°である位置に、弾球槌１が球を発射する弾球位置を設定するのが望ましい。したがって、球位置決め部材１０はこの角度（球位置角度）βが９０±１０°となるように取り付けられる。球位置角度βが８０°未満では打ち出された球の下方への衝撃が大きくなって弾球エネルギーが無駄に消費されるからであり、球位置角度βが１００°を超えると弾球槌１の回動エネルギーが効果的に球に伝達されないからである。
【００１１】
また、球に衝突する時の弾球槌１の打込み角度、即ち、発射レール底面２ａと弾球槌１の弾球部１２の中心線１２ａとのなす角度γを１〜１０°とするのが望ましい。打込み角度γを１°未満とすると球発射時の下方への抑え力が弱いために球が浮上がったりして弾道が安定しないからであり、一方、１０°を超えると球を下方に打ち込む力が大きくなって、弾球発射エネルギーのロスとなるからである。なお、打込み角度γは１〜５°とするのがさらに好ましい。
なお、図１においては、傾き角度αは２４°、球位置角度βは８５°、打込み角度γは４°としてある。
【００１２】
さらに、弾球槌１の支軸１３は発射レール２の球出口２ｂよりｈだけ低い位置に設けるのが望ましい。支軸１３の位置が発射レール２の球出口２ｂより高い場合には、ストッパー８や弾球槌１の後側突片１５がベース板２１の上方からに突出することとなって、その分遊技盤３の面積を拡張することができないからである。なお、発射レール２の出口２ｂは、ベース板２１の上方から突出しないように発射レール２をベース板２１に固定するのがよい。
【００１３】
第２の実施形態の弾球発射装置を図２に示す。本装置において発射レール２の傾き角度αは上向き３０°、球位置角度βは８４°、弾球槌１の打込み角度γは９°としてあり、また、弾球槌１の支軸１３は、発射レール２の球出口２ｂよりｈ´分低い位置に設けてあって、槌ストッパー８や弾球槌１の後側突片１５はベース板２１から上方にはみ出してはいない。
【００１４】
上記したような弾球発射装置を遊技機の下部に配設することにより弾球槌１、発射レール２や球送り装置４を下方に移動することができ、図３に示すように、略円形の遊技盤の下方に斜線領域で示した拡張部３１を確保することができ、この拡張部３１の分だけ遊技盤３の面積を広げることができる。従って、遊技盤３の面積を下方に拡張して、図４に示すようなストレート部を有する長円形状の遊技盤３、或いは楕円形の遊技盤３を形成することができるので、役物５を大きくしたり、入賞口６や羽根車７などの数や配置を大きく変化させたりして、遊興効果を従来より大きく盛り上げることができる。なお、図中１７は弾球槌１を作動させ、球の発射速度を調整するための操作ハンドルである。
【００１５】
【発明の効果】
以上に説明したように、本発明の遊技機は、弾球槌をその先端が支軸の下方を回動する下向きとしたうえに、発射レールの傾き角度を上向き２０〜５０°としたので、弾球槌や発射レールを従来よりも遊技機の下方に移動することができて、遊技機全体の面積を大きくすることなく遊技盤の面積を下方に大きく拡張することができる。
したがって、本発明は、役物を大きくしたり入賞口や羽根車などの数や配置を大きく変化させたりして、遊興効果を従来より大きく盛り上げることができるという大きな利点を有する。
【図面の簡単な説明】
【図１】第１の実施形態の弾球発射装置を示す正面図である。
【図２】第２の実施形態の弾球発射装置を示す正面図である。
【図３】遊技盤の拡張領域を示す説明図である。
【図４】長円形の遊技盤を備えた遊技機の正面図である。
【図５】従来の遊技機の正面図である。
【符号の説明】
１　　弾球槌
１３　　支軸
２　　発射レール
２ｂ　球出口
α　　発射レールの傾き角度
γ　　弾球槌先端の打ち込み角度
【図１】
2004141330.tif 000003
【図２】
2004141330.tif 000004
【図３】
2004141330.tif 000005
【図４】
2004141330.tif 000006
【図５】
2004141330.tif 000007